(57)【特許請求の範囲】
【請求項１】
光磁気ディスクに対する信号の読取及び／又は記録を行う光磁気ディスク記録装置であって、
光磁気ディスクを回転駆動する回転駆動部、光磁気ディスクの信号記録面にレーザ光を照射して信号の読取及び／又は記録を行う光ピックアップ等を備える装置本体部と、
光磁気ディスクを保持すると共に光磁気ディスクを上記装置本体部の所定のディスク装着部に装着する装着位置と該ディスク装着部から離間し光磁気ディスクの挿脱を行うイジェクト位置との間を移動するホルダと、
上記光ピックアップに支持されてホルダの上側に位置すると共にホルダに保持された光磁気ディスクに接触又は近接した記録位置と光磁気ディスクから離間した非記録位置との間を移動する磁気ヘッドと、
上記ホルダに設けられ上記磁気ヘッドを記録位置と非記録位置との間で移動させるヘッド移動部材と、
上記装置本体部の側面に記録位置と非記録位置との間を移動自在に設けられたヘッド移動レバーとを備え、
上記ヘッド移動レバーが記録位置にあるときに上記磁気ヘッドが記録位置に位置され、ヘッド移動レバーが非記録位置にあるときに磁気ヘッドが非記録位置に位置されるようにヘッド移動レバーによって上記ヘッド移動部材を直接移動するようにし、
上記ホルダがイジェクト位置に移動したときに上記磁気ヘッドが記録位置に位置しないように規制するヘッド位置規制手段を有し、
上記ホルダが装置本体部に回動自在に設けられると共に上記ヘッド移動部材が上記ホルダに回動自在に設けられ、
上記ヘッド移動部材の回動軸が上記ホルダの回動軸よりホルダの回動端寄りに位置し、
上記ヘッド位置規制手段が、上記ヘッド移動部材に設けられヘッド移動部材の回動軸より上記ホルダの回動端と反対の方向へ突出した被規制部と、上記装置本体部に設けられ上記ホルダがイジェクト位置へと回動するときにおける上記ホルダの回動端の移動方向へ上記被規制部が移動するのを規制する規制部とから構成され、
上記ホルダがイジェクト位置へと回動したときに上記ヘッド移動部材の被規制部の動きが上記規制部によって規制されることによって上記磁気ヘッドが記録位置に位置しないように規制する
ことを特徴とする光磁気ディスク記録装置。
【発明の詳細な説明】
【０００１】
【発明の属する技術分野】
本発明は新規な光磁気ディスク記録装置に関する。部品点数の減少と機構の簡単化によるコストの削減と信頼性の向上並びにスペースメリットの増大を図る技術に関する。
【０００２】
【従来の技術】
光磁気ディスクに対する信号の記録を行う光磁気ディスク記録装置にあっては、光磁気ディスクのレーザ光照射面の反対側の面に接触又は近接されるオーバーライト用の磁気ヘッドが必要である。
【０００３】
そして、上記磁気ヘッドは記録時以外の時には光磁気ディスクから離間していて、記録時のみ光磁気ディスクに接触又は近接される必要があり、そのために、磁気ヘッドを光磁気ディスクに接触又は近接した記録位置と光磁気ディスクから離間した非記録位置との間で移動させることが必要になる。
【０００４】
そこで、従来にあっては、上記目的のために磁気ヘッドを移動させるものとして、図１０に示すような機構を有していた。
【０００５】
四角く扁平な筐体であるカートリッジケース内に光磁気ディスクを回転可能に収納して成るディスクカートリッジを保持して、該ディスクカートリッジを所定のディスク装着部に装着する装着位置とディスクカートリッジの挿脱を行うイジェクト位置との間で移動する図示しないホルダの天板にディスクカートリッジの上面を上方へ臨ませる大きな孔が形成される。
【０００６】
磁気ヘッド装置ａは、連結部材ｂを介して図示しない光ピックアップに連結されていて、光ピックアップと共に左右方向、すなわち、図中矢印Ａ方向に移動するようになっている。
【０００７】
磁気ヘッド装置ａは、先端側に磁気ヘッドｃを支持したヘッド支持アームｄと、ヘッド支持アームｄの過剰な変位を規制するアーム支持板ｅとを備える。
【０００８】
ヘッド支持アームｄはリン青銅などの弾性を有する薄い金属板を打ち抜いて形成されている。アーム支持板ｅはＬ字状に折り曲げられた先端部ｅ′がヘッド支持アームｄの先端側の下面を支持し、該アーム支持板ｅとヘッド支持アームｄの基端部が共にコ字状をした上記連結部材ｂの上端部に固定支持されている。
【０００９】
そして、上記磁気ヘッドａはヘッドシフト板ｆによって上下される。ヘッドシフト板ｆはほぼ矩形の板状を為し、後端部が上記ホルダの孔の後端部近くで上下方向へ回動自在に支持されている。
【００１０】
ヘッドシフト板ｆの一方の側縁からは被駆動片ｇが突設され、他方の側縁からはバネ当て片ｈが突設されている。
【００１１】
板バネ材料から成る戻しバネｉの一端がホルダの天板に固定され、該バネｉの他端がヘッドシフト板ｆのバネ当て片ｈに上側から当接されて、ヘッドシフト板ｆが下方へ付勢される。また、ヘッドシフト板ｆの被駆動片ｇは上記ホルダの天板に回動可能に支持されたヘッド昇降レバーｊのカム片ｋの上側に位置される。該カム片ｋは後端部に下降部が形成され前端部に上昇部が形成されてこれら下降部と上昇部との間が斜辺部によって連結されている。図１０に示した状態は、被駆動片ｇがカム片ｋの下降部に載った状態を示し、この状態では、ヘッドシフト板ｆが下方へ回動した状態となっており、その結果、磁気ヘッド装置ａが下方へ回動し、磁気ヘッドｃがホルダに支持された光磁気ディスクｌに接触した状態となっている。
【００１２】
上記ホルダが支持されている図示しないシャーシには昇降制御板ｍが前後方向、すなわち、図中矢印Ｂ（前方）及び矢印Ｃ（後方）に移動自在に支持されている。昇降制御板ｍにはラックｎが形成されており、該ラックｎがモータｏによって回転されるピニオンｐによって送られて前後方向に移動される。昇降制御板ｍの後端部には連結孔ｑが形成されており、該連結孔ｑに上記ヘッド昇降レバーｊの他端部に垂設された連結片ｒが挿通されている。
【００１３】
従って、昇降制御板ｍが前方、すなわち、矢印Ｂ方向に移動すると、ヘッド昇降レバーｊは反時計回り方向、すなわち、図中矢印Ｄ方向に回動し、また、昇降制御板ｍが後方、すなわち、矢印Ｃ方向に移動すると、ヘッド昇降レバーｊは時計回り方向、すなわち、図中矢印Ｅ方向に回動する。
【００１４】
図１０に示した状態は、上記したように、記録時の状態であり、昇降制御板ｍはすなわち、矢印Ｃ方向に移動した状態となっており、これによって、ヘッド昇降レバーｊが時計回り方向、すなわち、矢印Ｅ方向に回動し、磁気ヘッドｃはホルダに対して最も下がった状態とされており、この状態で磁気ヘッドｃは光磁気ディスクｌに接触した状態となっている。
【００１５】
そして、記録が終了すると、昇降制御板ｍが前方、すなわち、矢印Ｂ方向に移動し、これによって、ヘッド昇降レバーｊが反時計回り方向、すなわち、矢印Ｄ方向に回動し、カム片ｋが後方に移動し、ヘッドシフト板ｆの被駆動片ｇがカム片ｋの上昇部に位置した状態となり、これによって、ヘッドシフト板ｆが上方へ回動され、該ヘッドシフト板ｆによってアーム支持板ｅ及びヘッド支持アームｄが上方へ回動するように持ち上げられ、その結果、磁気ヘッドｃが光磁気ディスクｌから離間するようになっている。
【００１６】
【発明が解決しようとする課題】
上記した従来の光磁気ディスク記録装置にあっては、ヘッドシフト板ｆを回動させるために昇降制御板ｍとヘッドシフト板ｆとの間にヘッド昇降レバーｊが介在され、その分部品点数が多くなり、且つ、連結部分が多くなり、コストの増大を招くと共に、連結部分の位置精度を出しにくく、さらに力の伝達効率が悪く、信頼性に欠けるという問題がある。さらに、シャーシのほぼ前後に亘って延びる昇降制御板ｍ、一方の側部において上下に延びるヘッド昇降レバーｊの連結片ｒ、ホルダの上面において左右に延びるヘッド昇降板ｊというように、力の伝達のための部材を長い距離に亘って這い回わさなければならす、これらが余分なスペースを占めてしまい、他の部材等の配置に苦慮するという問題があった。
【００１７】
そこで、本発明は、部品点数の減少と機構の簡単化によるコストの削減と信頼性の向上並びにスペースメリットの増大を図ることを課題とする。
【００１８】
【課題を解決するための手段】
本発明光磁気ディスク記録装置は、上記した課題を解決するために、装置本体部の側面に記録位置と非記録位置との間を移動自在に設けられたヘッド移動レバーを設け、該ヘッド移動レバーが記録位置にあるときに上記磁気ヘッドが記録位置に位置され、ヘッド移動レバーが非記録位置にあるときに磁気ヘッドが非記録位置に位置されるようにヘッド移動レバーによって上記ヘッド移動部材を直接移動するようにし、上記ホルダがイジェクト位置に移動したときに上記磁気ヘッドが記録位置に位置しないように規制するヘッド位置規制手段を有し、上記ホルダが装置本体部に回動自在に設けられると共に上記ヘッド移動部材が上記ホルダに回動自在に設けられ、上記ヘッド移動部材の回動軸が上記ホルダの回動軸よりホルダの回動端寄りに位置し、上記ヘッド位置規制手段が、上記ヘッド移動部材に設けられヘッド移動部材の回動軸より上記ホルダの回動端と反対の方向へ突出した被規制部と、上記装置本体部に設けられ上記ホルダがイジェクト位置へと回動するときにおける上記ホルダの回動端の移動方向へ上記被規制部が移動するのを規制する規制部とから構成され、上記ホルダがイジェクト位置へと回動したときに上記ヘッド移動部材の被規制部の動きが上記規制部によって規制されることによって上記磁気ヘッドが記録位置に位置しないように規制するものである。
【００１９】
従って、部品点数が減少すると共に、複数の部材の長い距離の這い回しが必要でなくなり、コストが削減されると共に信頼性が向上し、さらにはスペースメリットが増大する。そして、イジェクト時においても、磁気ヘッドが光磁気ディスクから確実に離間しているようにすることができる。そして、さらに、ヘッド位置規制手段を複雑な機構を使用すること無しに構成することができる。
【００２０】
【発明の実施の形態】
以下に、本発明光磁気ディスク記録装置の実施の形態について添付図面を参照して説明する。
【００２１】
本発明に係る光磁気ディスク記録装置１において使用するディスクカートリッジ２は、矩形の扁平な箱状をしたカートリッジケース３内に光磁気ディスク４が回転可能に収納され、カートリッジケース３の下面の中心部に光磁気ディスク４の中心部に取着されたディスクハブ（図示しない）を露出させるための図示しない中心孔が形成され、さらに、光磁気ディスク４の信号記録面を光ピックアップに対向させるためのピックアップアクセス孔（図示せず）が形成され、また、カートリッジケース３の上面の上記ピックアップアクセス孔に対応した位置には後述するオーバーライト用の磁気ヘッドがカートリッジケース３内に進入して光磁気ディスク４に接触するためのヘッドアクセス孔５が形成されている。そして、上記ピックアップアクセス孔及びヘッドアクセス孔５を開閉するシャッター６がピックアップアクセス孔及びヘッドアクセス孔５を閉塞する閉塞位置とピックアップアクセス孔及びヘッドアクセス孔５を開放する開放位置との間を摺動自在にカートリッジケース３に取着されて、ディスクカートリッジ２が形成される（図２参照）。
【００２２】
光磁気ディスク記録装置１は、上面が開放された薄い箱状をした本体ケース７と該本体ケース７に回動自在に設けられ本体ケース７の上面を開閉する蓋体８とから成る筐体内に装置本体部９及びディスクカートリッジ２を保持して光磁気ディスク４を上記装置本体部９の所定のディスク装着部に装着する装着位置と該ディスク装着部から離間しディスクカートリッジ２の挿脱を行うイジェクト位置との間を移動するホルダ１０とを備えて成る（図２参照）。
【００２３】
装置本体部９は、光磁気ディスク４を回転駆動する回転駆動部１１、光磁気ディスクの信号記録面にレーザ光を照射して信号の読取及び／又は記録を行う光ピックアップ１２等がシャーシ１３に搭載されて成る。
【００２４】
シャーシ１３の中央部にスピンドルモータ１４が支持され、該スピンドルモータ１４のロータ１５の上面部１６がターンテーブルとされ、該ターンテーブル１６上に上記光磁気ディスク４の中心部が載置されるようになっている。このスピンドルモータ１４とターンテーブル１６とによって回転駆動部１１が構成される。
【００２５】
シャーシ１３の回転駆動部１１が配置された部分から一の側縁にかけて大きな開口部１７が形成され、該開口部１７から上方を臨むようにして光ピックアップ１２が回転駆動部１１に対して離接する方向、すなわち、図４中矢印Ｆ方向（左右方向）に移動自在にされている。光ピックアップ１２はシャーシ１３の下面に配設されたガイド軸１８及びガイド部１９に摺動自在に支持され、スレッドモータ２０によって回転されるリードスクリュー２１に光ピックアップ１２に支持されたナット部材２２が係合している。従って、スレッドモータ２０の駆動によってリードスクリュー２１が回転され、該リードスクリュー２１と係合しているナット部材２２がリードスクリュー２１の軸方向に送られるので、これによって、光ピックアップ１２が図４中矢印Ｆ方向に移動される。
【００２６】
また、シャーシ１３の下面には昇降制御板２３が前後方向、すなわち、図５中矢印Ｇ方向（前方）及び矢印Ｈ方向（後方）に移動自在に支持されている。該昇降制御板２３にはラック２４が形成されており、該ラック２４がシャーシ１３の下面に支持されたモータ２５によって回転されるピニオン２６によって送られることによって昇降制御板２３は前後方向に移動される。
【００２７】
また、昇降制御板２３のシャーシ１３の一の側縁からやや外方に突出した部分には上方へ立ち上げられシャーシ１３の側面に沿って前後方向に延びる昇降レバー部２７が形成されている。昇降レバー部２７の後端部には上方へ突出した昇降カム部２８が形成されている。昇降カム部２８は前端部の下降部２８ａと後端部の上昇部２８ｂとが斜辺部２８ｃによって接続されて成る。
【００２８】
昇降制御板２３の前端部には前方へ突出するようにして動作連結バネ２９が突設されている。該動作連結バネ２９は昇降制御板２３が前方、すなわち、矢印Ｇ方向に移動した場合には、シャーシ１３の前面から突出し、これによって、図示しない他の機構と連係して上記蓋体８の本体ケース７の上面を覆った閉塞位置へのロックを解除し得る状態となっている。
【００２９】
ホルダ１０は、図３に示すように、天板３０の両側縁から側面板３１、３２が垂設され、これら側面板３１、３２の下縁から互いに近づく方へ受け板３３、３４が突設されて成る。このようなホルダ１０の後端部が上記シャーシ１３の後端部上面に回動自在に支持される。そして、天板３０と側面板３１、３２と受け板３３、３４とから成る扁平な空間内に上記ディスクカートリッジ２が受け入れられる。
【００３０】
ホルダ１０の天板３０には、シャーシ１３の開口部１７に対応した位置には大きな開口部３５が形成されている。
【００３１】
ヘッドシフト板３６が天板３０の上記開口部３５の後縁に近接した位置から開口部１７の方へ突出するように上下方向に回動自在に支持されている。ヘッドシフト板３６は横幅が上記開口部３５の横幅をほぼカバーする大きさに形成され、前端部に上方へ凸に湾曲した突条状の当接部３６ａが形成され、また、側縁、すなわち、上記昇降レバー部２７が配置された側部側の側縁から被駆動片３６ｂが突設されている。さらに、ヘッドシフト板３６の被駆動片３６ｂが突設された側の側縁からバネ当て片３６ｃが突設されている。
【００３２】
ヘッドシフト板３６の後端の両側部からは後方へ向けて被支持片３７、３８が突設されている。被支持片３７は被支持片３８より長く形成され、被支持片３７の中間部及び被支持片３８の後端部がホルダ１の天板３０上に突設された支持片３９、３９に回動自在に支持されている。
【００３３】
上記被支持片３７は側方から見て支持片３９に支持された部分を屈曲点としたへ字状に形成され、該支持片３７の後端部には側方へ突出し前方から見てクランク状をした引掛片４０が形成されている。そして、シャーシ１３の後端部には内側へ突出しヘッドシフト板３６の引掛片４０の下辺部４０ａの上側に位置する規制片４１が形成されている。
【００３４】
板バネ材料により前後方向に長い板状に形成された戻しバネ４２の前端部がホルダ１０の天板３０の上面に固定され、該戻しバネ４２の後端部がヘッドシフト板３６のバネ当て片３６ｃに上側から弾接され、これによって、ヘッドシフト板３６は下方へ付勢されている。
【００３５】
そして、ホルダ１０の回動支点部ａｘ１０、規制片４１の位置及びヘッドシフト板３６の回動支点部ａｘ３６の各位置関係は、ヘッドシフト板３６の回動支点部ａｘ３６がホルダ１０の回動支点部ａｘ１０より前方に位置し、これら回動支点部ａｘ３６とａｘ１０の中間の位置に規制片４１が位置している。
【００３６】
ホルダ１０の天板３０の上面側にはオーバーライト用の磁気ヘッド４３が上記光ピックアップ１２と共に移動するように配置される（図３、図４参照）。
【００３７】
磁気ヘッド装置４４は、先端側に磁気ヘッド４３を支持したヘッド支持アーム４５と、該ヘッド支持アーム４５の過剰な変位を規制するアーム支持板４６とを備える。
【００３８】
ヘッド支持アーム４５はリン青銅などの弾性を有する薄い金属板を打ち抜いて形成されている。アーム支持板４６はＬ字状に折り曲げられた先端部４６ａがヘッド支持アーム４５の先端側の下面を支持し、該アーム支持板４６とヘッド支持アーム４５の基端部が共に側面形状でコ字状をした上記連結部材４７の上端部４７ａに固定支持されている。そして、上記連結部材４７の下端部４７ｂは上記光ピックアップ１２の下面に固定される。
【００３９】
次ぎに、本発明光磁気ディスク記録装置１の動作について説明する。
【００４０】
図１に示す状態は、蓋体８を閉塞位置に閉じた状態であり、停止、再生又は記録時の状態である。
【００４１】
図２に示す状態は、蓋体８を開放位置に開いた状態であり、このように蓋体８を開くと、ホルダ１０も蓋体８と共に回動し、ディスクカートリッジ２の挿脱を行えるイジェクト位置に位置した状態となる。ホルダ１０内にディスクカートリッジ２が入っていた場合に、ホルダ１０が図１や図９に示すイジェクト位置に達すると、ホルダ内１０に入っていたディスクカートリッジ２はその一部がホルダ１０から突出する。そこで、信号の読取及び／又は記録が済んだディスクカートリッジ２をホルダ１０から取り出し、新たに、信号の読取及び／又は記録を行うディスクカートリッジ２をホルダ１０内に挿入する。ディスクカートリッジ２はホルダ１０に挿入される過程においてシャッター６が開放位置へと移動し、光ピックアップアクセス孔及びヘッドアクセス孔５が開放される。
【００４２】
そこで、蓋体８を閉塞位置へと回動すると、ホルダ１０が装着位置に位置されると共に蓋体８が図示しないロック機構によって閉塞位置にロックされ、ディスクカートリッジ２は所定の装着位置に装着されて、光磁気ディスク４がターンテーブル１６上に装着される（図７参照）。この状態では、昇降制御板２３は移動範囲の前端に位置していて（図５参照）、動作連結バネ２８はシャーシ１３の前端から突出し、上記蓋体の閉塞位置へのロックを解除することが可能な状態となっている。従って、昇降レバー部２７も移動範囲の前端、すなわち、非記録位置に達していて、その結果、昇降カム２８の上昇部２８ｂの上にヘッドシフト板３６の被駆動部３６ｂが載った状態となっていてヘッドシフト板３６は上方へ回動し、該ヘッドシフト板３６の当接部３６ａがアーム支持板４６及びヘッド支持アーム４５を上方へ押し上げ、従って、磁気ヘッド４３は光磁気ディスク４から上方へ離間した非記録位置に位置した状態となっている。
【００４３】
そして、上記光磁気ディスク４についての再生を行う場合には、上記したように、磁気ヘッド４３が光磁気ディスク４から離間した状態で再生動作、すなわち、信号の読取動作が行われる。すなわち、スピンドルモータ１４によって光磁気ディスク４が回転されると共に光ピックアップ１２が光磁気ディスク４の半径方向に移動しながら、光磁気ディスク４の信号記録面へのレーザー光の照射とその戻り光の検出が行われ、該光磁気ディスク４についての信号の読取が為される。
上記光磁気ディスク４について信号の記録を為す場合には、モータ２５によって昇降制御板２３が後方へ、すなわち、図中矢印Ｈ方向へ移動される。これによって、上記動作連結バネ２９は後方へ移動し、蓋体８の閉塞位置へのロックを解除できない状態となる。また、昇降レバー部２７も後方、すなわち、記録位置へ移動し、これによって、ヘッドシフト板３６の被駆動部３６ｂは昇降カム部２８の斜辺部２８ｃを経て下降部２８ａ上に載った状態となり、この結果、アーム支持板４６及びヘッド支持アーム４５が下方へ、すなわち、図中矢印Ｉ方向へ回動し、磁気ヘッド４３が光磁気ディスク４の上面のうち光ピックアップ１２によってレーザー光を照射される部分に対応した位置に当接した記録位置に位置した状態となる。この状態で、光磁気ディスク４の信号記録面に光ピックアップ１２によって再生時より強めのレーザ光が照射されると共に磁気ヘッド４３によって磁界が与えられ、これによって、光磁気ディスク４の信号記録面に新たな信号が記録される。このような信号の記録は光ピックアップ１２が光磁気ディスク４の半径方向に移動しながら為され、磁気ヘッド４３も光ピックアップ１２と共に移動される。
【００４４】
光磁気ディスク４に対する信号の記録が終了すると、モータ２５が駆動し、昇降制御板２３が前方、図中矢印Ｇ方向へ移動し、動作連結バネ２９が前方へ突出して蓋体８の閉塞位置へのロックを解除することが可能な状態となり、また、昇降レバー部２７も前方、すなわち、非記録位置へ移動するので、昇降カム部２８の上昇部２８ｂがヘッドシフト板３６の被駆動片３６ｂの下に来て、これによって、ヘッドシフト板３６が上方へ、すなわち、図中矢印Ｊ方向へ回動し、該ヘッドシフト板３５の当接部３６ａがアーム支持板４６及びヘッド支持アーム４５を上方へ押し上げるので、ヘッド支持アーム４５の前端部に支持されている磁気ヘッド４３が上方へ移動して光磁気ディスク４から離間する。
【００４５】
そこで、蓋体８に対する閉塞位置へのロックを解除して、図２に示すように開放位置へと移動させると、蓋体８と共にホルダ１０のイジェクト位置へ向かって上方へ回動され、それと同時にディスクカートリッジ２の一部がホルダ１０から突出した状態となり、該ホルダ１０から突出した一部を摘んでディスクカートリッジ２をホルダ１０から取り出すことができるようになる。そして、ディスクカートリッジ２をホルダ１０から取り出すときに開放位置にあったシャッター６は閉塞位置へと移動される。
【００４６】
また、ホルダ１０のイジェクト位置への回動によってヘッドシフト板３６もホルダ１０と共に移動するが、ヘッドシフト板３６の引掛片４０の下辺部４０ａにシャーシ１３に設けられた規制片４１が上方から当接し、従って、ホルダ１０がイジェクト位置まで回動する間にヘッドシフト板３６がホルダ１０に対して相対的に上方へ回動して磁気ヘッド４３が光磁気ディスク４から離間した状態が保たれる。
【００４７】
なお、上記したように、ホルダ１０がイジェクト位置へと回動したときに、磁気ヘッド４３が光磁気ディスク４から離間した状態を保つ手段としては、上記したものの他に、例えば、上記昇降レバー部２７の昇降カム部２８に前記上昇部２８ｂよりさらに高い位置にある退避部を形成しておき、ホルダ１０をイジェクト位置に回動させるときにはヘッドシフト板３６の被駆動片３６ｂが上記退避部の上に載るようにしても良い。さらには、蓋体８とヘッドシフト板３６との間に互いに係合する係合部を設けておいて、蓋体８が開放位置へ移動するときに上記係合部の係合によってヘッドシフト板３６を引っ張り上げるようにしても良い。
【００４８】
上記した光磁気ディスク記録装置１にあっては、記録位置と非記録位置との間を移動する昇降レバー部２７によってヘッドシフト板３６を直接移動させて磁気ヘッド４３を光磁気ディスクに対して離接させるので、部品点数が減少し、それに伴う組立工数が減少してコストダウンに寄与すると共に、部品同士の連係部分が少なくなり、組立精度を維持することができ、信頼性が向上する。
【００４９】
さらに、力点と作用点の配置関係が理想に近くなり、変なモーメントによるロストルクが減少し、駆動源、すなわち、モータの小型化や小電力化が可能となる。
【００５０】
さらにまた、多くの連係部材の這い回しが必要なくなるので、他の部材の配置に余裕ができ、適所に配置することができ、信頼性が向上すると共に、小型化が可能になる。
【００５１】
なお、上記した実施の形態において示した各部の形状及び構造は、何れも本発明を実施するに際して行う具体化のほんの一例を示したものに過ぎず、これらによって本発明の技術的範囲が限定的に解釈されるようなことがあってはならないものである。
【００５２】
【発明の効果】
以上に記載したところから明らかなように、本発明光磁気ディスク記録装置は、光磁気ディスクに対する信号の読取及び／又は記録を行う光磁気ディスク記録装置であって、光磁気ディスクを回転駆動する回転駆動部、光磁気ディスクの信号記録面にレーザ光を照射して信号の読取及び／又は記録を行う光ピックアップ等を備える装置本体部と、光磁気ディスクを保持すると共に光磁気ディスクを上記装置本体部の所定のディスク装着部に装着する装着位置と該ディスク装着部から離間し光磁気ディスクの挿脱を行うイジェクト位置との間を移動するホルダと、上記光ピックアップに支持されてホルダの上側に位置すると共にホルダに保持された光磁気ディスクに接触又は近接した記録位置と光磁気ディスクから離間した非記録位置との間を移動する磁気ヘッドと、上記ホルダに設けられ上記磁気ヘッドを記録位置と非記録位置との間で移動させるヘッド移動部材と、上記装置本体部の側面に記録位置と非記録位置との間を移動自在に設けられたヘッド移動レバーとを備え、上記ヘッド移動レバーが記録位置にあるときに上記磁気ヘッドが記録位置に位置され、ヘッド移動レバーが非記録位置にあるときに磁気ヘッドが非記録位置に位置されるようにヘッド移動レバーによって上記ヘッド移動部材を直接移動するようにし、上記ホルダがイジェクト位置に移動したときに上記磁気ヘッドが記録位置に位置しないように規制するヘッド位置規制手段を有し、上記ホルダが装置本体部に回動自在に設けられると共に上記ヘッド移動部材が上記ホルダに回動自在に設けられ、上記ヘッド移動部材の回動軸が上記ホルダの回動軸よりホルダの回動端寄りに位置し、上記ヘッド位置規制手段が、上記ヘッド移動部材に設けられヘッド移動部材の回動軸より上記ホルダの回動端と反対の方向へ突出した被規制部と、上記装置本体部に設けられ上記ホルダがイジェクト位置へと回動するときにおける上記ホルダの回動端の移動方向へ上記被規制部が移動するのを規制する規制部とから構成され、上記ホルダがイジェクト位置へと回動したときに上記ヘッド移動部材の被規制部の動きが上記規制部によって規制されることによって上記磁気ヘッドが記録位置に位置しないように規制することを特徴とする。
【００５３】
従って、部品点数が減少すると共に、複数の部材の長い距離の這い回しが必要でなくなり、コストが削減されると共に信頼性が向上し、さらにはスペースメリットが増大する。そして、イジェクト時においても、磁気ヘッドが光磁気ディスクから確実に離間しているようにすることができる。そして、さらに、ヘッド位置規制手段を複雑な機構を使用すること無しに構成することができる。
【図面の簡単な説明】
【図１】図２乃至図９と共に本発明光磁気ディスク記録装置の実施の形態を示すものであり、本図は蓋体が閉塞位置にある状態の斜視図である。
【図２】蓋体を開放位置に移動した状態とディスクカートリッジを示す斜視図である。
【図３】内部機構を示す概略斜視図である。
【図４】装置本体部の概略斜視図である。
【図５】装置本体部を下方から見た概略斜視図である。
【図６】内部機構の平面図である。
【図７】記録状態以外の状態を示す概略側面図である。
【図８】記録状態を示す概略側面図である。
【図９】イジェクト状態を示す概略側面図である。
【図１０】従来の光磁気ディスク記録装置の要部を示す概略平面図である。
【符号の説明】
１…光磁気ディスク記録装置、４…光磁気ディスク、９…装置本体部、１０…ホルダ、１１…回転駆動部、１２…光ピックアップ、２７…昇降レバー部（ヘッド移動レバー）、３６…ヘッドシフト板（ヘッド移動部材）、４０…引掛片（被規制部）、４１…規制片（規制部）、４０、４１…ヘッド位置規制手段、４３…磁気ヘッド
【図１】
0004340935.tif 000002
【図２】
0004340935.tif 000003
【図３】
0004340935.tif 000004
【図４】
0004340935.tif 000005
【図５】
0004340935.tif 000006
【図６】
0004340935.tif 000007
【図７】
0004340935.tif 000008
【図８】
0004340935.tif 000009
【図９】
0004340935.tif 000010
【図１０】
0004340935.tif 000011